(57)【要約】      （修正有）【課題】電気式床暖房装置において、電熱マットの熱膨張に伴う床下の変形などを防止するとともに、その施工性を向上させる。【解決手段】床下地板１の上に配置される電熱マット１１ａ，１１ｂと、この電熱マットの周囲に設けられる周辺マット１２と、電熱マットおよび周辺マットの上に敷設される床板１８と、電熱マットを電気的に制御するコントローラ２０とを備えた床暖房装置であって、電熱マットはその表面または内部に電気ヒーター線を有するとともに該電気ヒーター線と重ならない位置に設けられる小根太１７ａ，１７ｂを有しており、周辺マットは柔軟性を有する基材で形成されるとともに床板が敷設された状態において電熱マットと略同厚に形成される。柔軟性を有する基材の表面に第２の小根太を有して構成された周辺マット、あるいは、周辺マットが電熱マットに連続して一体に形成された一体化電熱マットを用いても良い。【選択図】図１
2005241141.tif 000002
【特許請求の範囲】
【請求項１】
床下地板の上に配置される電熱マットと、この電熱マットの周囲に設けられる周辺マットと、電熱マットおよび周辺マットの上に敷設される床板と、電熱マットを電気的に制御するコントローラとを備え、電熱マットはその表面または内部に電気ヒーター線を有するとともに該電気ヒーター線と重ならない位置に設けられる小根太を有しており、周辺マットは柔軟性を有する基材で形成されるとともに床板が敷設された状態において電熱マットと略同厚に形成されることを特徴とする床暖房装置。
【請求項２】
周辺マットが柔軟性を有する基材の表面に第２の小根太を有して構成されることを特徴とする、請求項１記載の床暖房装置。
【請求項３】
周辺マットが電熱マットに連続して一体に形成されることを特徴とする、請求項１または２記載の床暖房装置。
【発明の詳細な説明】
【技術分野】
【０００１】
本発明は電気式の床暖房装置に関する。
【背景技術】
【０００２】
従来の電気式床暖房装置として、下記特許文献１に記載されるように、柔軟性を有する基材の上に積層されたヒーターシートおよびこのヒーターシートの上に積層された小根太とを有する電熱マットを備えたものが知られている。
【０００３】
この床暖房装置を部屋に設置する場合、部屋の床下地板の上に上記電熱マットを配置し、小根太の位置でビスにより該電熱マットを床下地板に固定する。電熱マットは部屋の床の大きさよりも小さいものとされ、電熱マットを床下地板の上に配置したときに、電熱マットと部屋の壁との間に電熱マットが敷設されない部分が残るので、この部分に電熱マットと略同厚の合板などの周辺パネルを設ける。さらに、これら電熱マットおよび周辺パネルの上に床板を敷設することにより、床暖房装置を設置している。
【特許文献１】特開２００３−１６６７２０号公報
【発明の開示】
【発明が解決しようとする課題】
【０００４】
上記従来技術の床暖房装置によれば、電熱マットに電力を供給し、その温度が上昇すると、電熱マットと部屋の壁との間に設けられた周辺パネルの温度も上昇する。周辺パネルの温度が過度に上昇すると、熱膨張して、電熱マットを圧迫したり床板への突き上げなどによる変形の原因となるので、一般に、電熱マットと周辺パネルとの間および周辺パネル同士の間に数ミリ程度の隙間を設けて施工して、上記のような問題が生じないようにしている。
【０００５】
しかしながら、反面、周辺パネルの敷設に際してそのパネルの大きさや配置などに配慮しなければならず、施工手間がかかるという問題が生じていた。
【０００６】
したがって、本発明の課題は、電気式床暖房装置において、電熱マットの温度上昇による熱膨張に伴う床板の変形などを防止するとともに、その施工性を向上させることにある。
【課題を解決するための手段】
【０００７】
上記の課題を達成するため、請求項１にかかる本発明の床暖房装置は、床下地板の上に配置される電熱マットと、この電熱マットの周囲に設けられる周辺マットと、電熱マットおよび周辺マットの上に敷設される床板と、電熱マットを電気的に制御するコントローラとを備え、電熱マットはその表面または内部に電気ヒーター線を有するとともに該電気ヒーター線と重ならない位置に設けられる小根太を有しており、周辺マットは柔軟性を有する基材で形成されるとともに床板が敷設された状態において電熱マットと略同厚に形成されることを特徴としている。
【０００８】
請求項２は、請求項１記載の床暖房装置において、周辺マットが柔軟性を有する基材の表面に第２の小根太を有して構成されることを特徴としている。
【０００９】
請求項３は、請求項１または２記載の床暖房装置において、周辺マットが電熱マットに連続して一体に形成されることを特徴としている。
【００１０】
本発明の床暖房装置は、電気エネルギーを利用して床板を加熱し、もってこの床板の上部空間を暖房するものである。
【００１１】
本発明の床暖房装置は、上述のように、電熱マットと、周辺マットと、床板と、コントローラとを有して構成される。
【００１２】
電熱マットは、基材と、電気ヒーター線と、小根太とを有する。基材は、不織布、網状シート、紙、孔あきシートなどの弾力性を有するもので形成されることが好ましく、その厚さは一般に数ｍｍ程度であり、その表面または内部に電気ヒーター線が蛇行状に設けられる。さらに電気ヒーター線に沿って同じく蛇行状に感熱線を設けることが好ましい。感熱線を設けることにより、コントローラによって電気ヒーター線の過熱を防止することができる。電熱マット内を蛇行状に配線される電気ヒーター線および感熱線は、電熱マットに設けられる配線ボックスに出入する。
【００１３】
電熱マットにおいて、電気ヒーター線の上に熱分散シートを重ねて用いると良い。熱分散シートは、好ましくは電熱マットの全面に設けられる。電熱マットの厚さは、電熱マットが床下地板と床板との間に挟まれ、熱分散シートおよび基材が圧縮された状態でたとえば３ｍｍである。この厚さは、小根太の厚さと、圧縮された熱分散シートの厚さと、圧縮された基材の厚さとの合計である。
【００１４】
電熱マットには、さらに、電気ヒーター線および感熱線と重ならない位置において小根太が電熱マット上に設けられており、これにより上からの荷重がヒーター線や感熱線に直接作用することを防止して、電気ヒーター線および感熱線を保護する。小根太は接着剤や両面テープなどにより電熱マットに仮止めされる。小根太の形状は特に限定されないが、一般に細長状または短冊状の薄板または棒状の材料が用いられる。小根太の材質は、合板、木質板、木質繊維板（ＭＤＦなど）、木削片板、単板積層板などの木質系をはじめとして、合成樹脂系、鉄、銅、アルミニウム合金などの金属系、あるいは形材などを用いることができる。小根太が基材または熱分散シートの上に設けられることにより、小根太の部分で電熱マットを釘やビスなどで床下地板に固定する際の釘（ビス）打ち箇所が明確となり、且つ、釘やビスで電気ヒーター線や感熱線を損傷させることも防止できる。床暖房装置に使用する前の電熱マットを丸めて保管収容することができるよう、小根太は所定の間隔をおいて設けることが好ましい。
【００１５】
周辺マットは、電熱マットと部屋の壁面との間の床下地板上に設けられ、少なくとも電熱マット側の周囲に設けられるが、電熱マットと壁面との間の床下地板の全面にわたって設けられても良い。電熱マット側の周囲のみに周辺マットが設けられる場合は、その周囲の余った部分にさらに合板などの周辺パネルが設けられる。
【００１６】
周辺マットは柔軟性を有する基材で形成され、床板が敷設された状態において圧縮されて電熱マットと略同厚に形成されるので、敷設状態で床板が平坦になる。柔軟性基材の表面に第２の小根太を配して周辺マットを構成すると、敷設状態における床板の平坦度がさらに向上するので好ましい。周辺マットにおける第２の小根太は、電熱マットにおける小根太と材質的に同じものを用いることが好ましい。周辺マットにおける第２の小根太は電熱マットにおける小根太と同じ間隔（小根太間のピッチ）で設けても良いし、あるいは第２の小根太についてのピッチを小さくしても良い。第２の小根太同士が接触するように隣接して配置しても良い。いずれの場合も、電熱マットと同様、周辺マットを丸めて保管収容することができる。また、電熱マットにおけると同様、第２の小根太も接着剤や両面テープなどにより周辺マットに仮止めされる。
【００１７】
周辺マットは電熱マットとは別途独立した部材として構成されても良いが、電熱マットに連続させて一体的に形成されても良い。周辺マットを電熱マットと一体的に形成することにより施工性がさらに向上する。一体形成の場合、電気ヒーター線と交差しない部分において電熱マット側の小根太を周辺マット側まで延長させて第２の小根太とすることができる。また、この場合は、電熱マットと周辺マットとを連続させた一体型マットの周囲を部屋の大きさに合わせて切除して、施工する。
【発明の効果】
【００１８】
請求項１にかかる本発明の床暖房装置によれば、電熱マットの周囲に、柔軟性を有する基材で形成される周辺マットが敷設されるので、従来の合板などの周辺パネルを敷設する場合のようにその大きさや配置などに配慮しつつ所定の微細な隙間を設ける必要がなく、施工性が向上する。
【００１９】
また、電熱マットの温度上昇によって周辺マットが熱膨張しても、その基材の柔軟性によって、電熱マットを圧迫したり床板への突き上げなどによる変形を生じさせることがない。
【００２０】
さらには、周辺マットの熱膨張によって電熱マットが圧迫されて変形することがないので、電熱マットは所定の形状を維持することができ、床板への伝熱効率が維持される。
【００２１】
請求項２にかかる本発明の床暖房装置によれば、周辺マットが柔軟性を有する基材の表面に第２の小根太を有する構造とされているので、上述の効果に加えて、電熱マットおよび周辺マットの上に床板を敷設した状態で周辺マットを電熱マットと略同厚にすることが容易となり、床板の平坦度を向上させることができる。
【００２２】
請求項３にかかる本発明の床暖房装置によれば、周辺マットが電熱マットに連続して一体に形成されるので、周辺マットを独立して施工する必要がなくなり、施工性がより一層向上する。
【発明を実施するための最良の形態】
【００２３】
本発明による床暖房装置の一実施形態について、以下、添付図を参照して説明する。
【００２４】
図１〜図５を参照して、この床暖房装置１０は、床下地板１の上に配置される電熱マット１１（一対の電熱マット１１ａ，１１ｂ）と、この電熱マット１１の周囲に設けられるとともに床下地板１の上に配置される周辺マット１２と、これら電熱マット１１および周辺マット１２の上に敷設される床板１８と、電熱マット１１を電気的に制御するコントローラ２０とを備えている。
【００２５】
床下地板１は根太３上に敷設され、根太３間にはポリスチレンフォームなどの断熱材４が充填されている。床下地板１は床板１８にかかる荷重を電熱マット１１ａ，１１ｂ、周辺マット１２を介して支えるもので、その材料としては一般に合板、木質板、木質繊維板（ＭＤＦなど）などの木質系が使用される。床下地板１の厚みはたとえば１２〜３０ｍｍの範囲から選定する。
【００２６】
各電熱マット１１ａ，１１ｂは、弾力性を有する不織布１３を基材とし、その表面に電気ヒータ線１４および感熱線１５が蛇行状に設けられ、それらを熱分散シート１６で被覆するとともに、所定間隔をおいて並置された小根太１７（１７ａ，１７ｂ）を有して構成されている（図３）。感熱線１５はヒーター線１４と重ならないように配置され、後述のコントローラ２０を介してヒーター線１４による加熱温度を制御するとともに異常過熱を感知して防止する作用を果たす。電熱マット１１ａ，１１ｂは、電気ヒーター線１４および感熱線１５の端子が集合する共通の配線ボックス２３を有している。
【００２７】
熱分散シート１６の一例は、図４に示すように、不織布、ある程度の耐熱性を有する網、紙などの基材シート１６ａの表面に熱伝導性および可撓性を有する薄板（銅箔、アルミニウム箔など）１６ｂを積層貼着一体化した２層構造のものである。他の例としては、該基材シートを表裏に用い、それらの間に熱伝導性および可撓性を有する薄板を挟み込んで積層貼着一体化した３層構造のものを用いることができる。熱分散シート１６は、電気ヒーター線１４および感熱線１５を介して不織布１３の全面に設けられ、電気ヒーター線１４が発生した熱を平面的に分散させて効率良く床板１８に伝達する。
【００２８】
電熱マット１１ａ，１１ｂには、基材１３の表面側、この実施形態では熱分散シート１６の表面に、複数の小根太１７が互いに平行に設けられている。電熱マット１１ａに設けられる小根太１７ａと電熱マット１１ｂに設けられる小根太１７ｂとは略点対称の位置関係にあり、適宜の間隔をおいて互いに平行に、且つその長手方向の一端に交互に電気ヒーター線１４の通り道となる隙間をあけて千鳥状に設けられる（図１、図２）。小根太１７は両面テープなど（図示せず）で仮止めされている。小根太１７は細長状または短冊状であって、電熱マット１１の表面に設けられている熱分散シート１６と床板１８との間に配置される。小根太１７の材質としては、合板、木質板、木質繊維板（ＭＤＦなど）、木削片板、単板積層板などの木質系を使用することができる。さらに、小根太１７は、ヒーター線１４および感熱線１５と重ならないように配置され、熱分散シート１６および不織布１３を介して木ねじ（ビス）１９により床下地板１に固定される（図３）。このとき、不織布１３が弾力性を有するので、小根太１７の下に位置する不織布１３は圧縮された状態にある。小根太１７，１７間においては不織布１３は熱分散シート１６を介して床板１８に略面接触するように形成されている。
【００２９】
周辺マット１２は、電熱マット１１ａ，１１ｂの四周縁と部屋の壁２，２との間において床下地板１の上に設けられ、この上に床板１８が敷設された状態で電熱マット１１ａ，１１ｂと略同厚（この実施形態では３ｍｍ）に形成される。周辺マット１２は、不織布などの柔軟性のある基材で形成されている。
【００３０】
床板１８は基材の表面に化粧材を貼着して構成されている。基板は、合板、木質板、木質繊維板（ＭＤＦなど）、木削片板、単板積層板などの木質系、スチロール樹脂板、塩化ビニル樹脂板、強化プラスチック板、発泡スチロール樹脂板、発泡ウレタン樹脂板などの合成樹脂系、または木質系と合成樹脂系との複合積層板などからなる。このような基板上に貼着する化粧材としては、天然木材を切削して得られる天然突板、人工突板、不織布、紙、合成樹脂シートなどを用いることができ、可撓性を有する材料のシートに各種模様を印刷したものを用いてもよい。化粧材として用いる合成樹脂シートとしては、たとえばオレフィン樹脂、塩化ビニル樹脂、ポリエステル樹脂、アクリル樹脂などを用いることができる。化粧材の厚さはたとえば０．０５〜１ｍｍの範囲で決定される。なお、化粧材はきわめて薄いものであるので図示省略するとともに、その厚さを無視し、各床板の厚さは上記合板基材の厚さと等しいものとする。一例として、９ｍｍ厚の合板を基材としてその表面に上記のような任意化粧材を貼着して得られる化粧板を床板１８として用いることができる。床板１８の大きさは、たとえば幅３０３ｍｍ×長さ１８１８ｍｍである。
【００３１】
床板１８は、小根太１７の長手方向に直交する方向に、且つ、床板１８同士の継ぎ目が小根太１７の上に位置するように敷設される。これにより、床板１８の継ぎ目部分が跳ね上がるなどの変形を生ずることがなく、不陸のない床面を与えることができる。また、床板１８は、その長手方向および短手方向に沿って雄実１８ａおよび雌実１８ｂが形成され、雄実１８ａの基端部に釘２４を打ち込むことにより小根太１７およびその下に圧縮されている不織布１３越しに床下地板１に固定される。
【００３２】
コントローラ２０は、電熱マット１１ａ，１１ｂの接合縁の一端に設けられる配線ボックス２３にケーブル２１を介して接続されるとともに、電源コード２２を介して電力が供給されるようになっている。電源コード２２は、コントローラ２０に接続されたままの状態で用いても良いが、電源コード２２をコントローラ２０に抜き差し可能に接続するとともに、その先端にプラグ（図示せず）を設けておき、このプラグをコンセント（図示せず）に差し込んで電熱マット１１ａ，１１ｂの通電試験用として仮設的に使用し、通電試験が終了したときにこの電源コード２２を取り外して、コントローラ２０と分電盤（図示せず）との間を電源配線するようにしても良い。コントローラ２０は、電熱マット１１ａ，１１ｂのオン・オフ、暖房の強弱、過熱防止、漏電防止などを制御し、さらに必要に応じてその他暖房予約などの制御を行う。
【００３３】
前述のように床板１８の厚さは９ｍｍであり、また、その下方に設けられる電熱マット１１ａ，１１ｂの厚さ（すなわち、小根太１７の下方に不織布１３と熱分散シート１６が重なり合って不織布１３が圧縮された状態で配置されたときのこれらの合計厚）が３ｍｍとなるように設定されているので、床下地板１の表面から床板１８の表面までの見掛け上の厚さは１２ｍｍとなる。また、この実施形態においては、床下地板１上に電熱マット１１ａ，１１ｂの周囲に周辺マット１２が配置されており、この周辺マット１２上に床板１８が敷設された状態でその厚さが電熱マット１１ａ，１１ｂと同厚の３ｍｍとされているので、周辺マット１２と床板１８の合計厚も１２ｍｍとなり、電熱マット１１ａ，１１ｂ上に施工される床板１８と周辺マット１２上に施工される床板１８の表面が面一になる。
【００３４】
以上に説明した床暖房装置１０の施工方法について、図６〜図８を参照して説明する。この床暖房装置１０を部屋に施工するには、まず、部屋の床下地板１上における電熱マット１１ａ，１１ｂの設置位置および壁２におけるコントローラ２０の設置位置を決める。部屋の窓際に家具などがおかれる場合は、この家具などの下に電熱マット１１ａ，１１ｂが位置しないように位置決めを行う。
【００３５】
電熱マット１１ａ，１１ｂおよびコントローラ２０の設置位置を決定した後、図６に示すように、床下地板１上に、電熱マット１１ａ，１１ｂの中央線の位置を示す線２５と、電熱マット１１ａ，１１ｂの配線ボックス２３側の縁の位置を示す線２６を墨出しする。さらに、これら墨出し線２５，２６の交差部分の床下地板１に配線ボックス２３を収容するための孔２７を穿設する。
【００３６】
次に、図７に示すように、電熱マット１１ａ，１１ｂの突き合わせ縁（中央線）を墨出し線２５に合わせるとともに、電熱マット１１ａ，１１ｂの配線ボックス２３側の縁を墨出し線２６に合わせて、床下地板１上に電熱マット１１ａ，１１ｂを配置する。さらに、小根太１７ａ，１７ｂの部分で電熱マット１１ａ，１１ｂを床下地板１に固定する。電熱マット１１ａ，１１ｂを床下地板１に固定するには、まず電熱マット１１ａ，１１ｂの中央線側に位置する各一つの小根太１７ａ１，１７ｂ１をビス１９，１９・・・で固定し、次いで電熱マット１１ａ，１１ｂの最外側に位置する各一つの小根太１７ａ５，１７ｂ５を同様にビス１９，１９・・・で固定した後、残りの小根太１７ａ２〜１７ａ４，１７ｂ２〜１７ｂ４を任意の順序で同様にビス１９，１９・・・で固定する。ビス１９，１９・・・による固定の際は、小根太１７ａ１〜１７ａ５，１７ｂ１〜１７ｂ５の配線ボックス２３側の一端から他端に向けて順次ビス１９，１９・・・を打ち込むようにすると良い。
【００３７】
このようにして電熱マット１１ａ，１１ｂを床下地板１上の所定位置に固定した後、図８に示すように、配線ボックス２３から出ているケーブル２１を床下地板１の表面に這わせてコントローラ２０に接続する。
【００３８】
次いで、電熱マット１１ａ，１１ｂの周囲に周辺マット１２を枠状に敷設する。周辺マット１２は、ビス（図示せず）を適宜の位置に打ち込んで、または接着剤などを用いて、床下地板１上に固定する。床下地板１上のケーブル２１の上にも周辺マット１２が敷設されるが、前述のように周辺マット１２は不織布などの柔軟性のある基材で形成されているので、ケーブル２１の上を覆う箇所でも盛り上がることがなく、平坦な表面を維持する。
【００３９】
このようにして電熱マット１１ａ，１１ｂおよび周辺マット１２を敷設した後、電熱マット１１ａ，１１ｂの通電試験を行い、電気ヒーター線１４が正常に動作することを確認する。
【００４０】
次いで、床板１８を割り付けるための墨出しを行う。床板１８の割り付け方法は、まず床板１８の長手方向に沿う雄実１８ａを合わせるべき基準線２８を小根太１７の長手方向に直交する方向に引く。この基準線２８は、電熱マット１１ａ，１１ｂの配線ボックス２３側の端から床板の幅Ｂ１＝３０３ｍｍより小さい寸法の所定距離Ｄ、たとえばＤ＝２３０±３５ｍｍとなるような位置に引かれる。
【００４１】
さらに、基準線２８から床板の幅Ｂ１＝３０３ｍｍに相当する距離を隔てた位置に基準線２９を引く。基準線２９と周辺マット１２の外縁との距離は、壁際に敷設される床板の幅Ｂ２に相当する。壁際の床板の幅Ｂ２は、一定の寸法、たとえば７５ｍｍ以上になるように調整される。床板１８の敷設は、基準線２９を基準にして張り始め、窓際の床板を含めて床全面に床板が敷設される。床板を張る際には釘２４と接着剤を併用すると良い。なお、前述したように、床板１８は、その継ぎ目が小根太１７の上に位置するように割り付けられる。
【００４２】
この実施形態による床暖房装置１０では、電熱マット１１ａ，１１ｂの周囲に周辺マット１２が敷設されるので、その施工が容易である。さらに、電熱マット１１ａ，１１ｂにおける電気ヒーター線１４の発熱によって周辺マット１２の温度が上昇しても、周辺マット１２は柔軟性を有する基材で形成されているので、周辺マット１２自体が熱膨張しても、その周囲に配置されている電熱マット１１ａ，１１ｂへの圧迫や床板１８への突き上げなどによる変形はほとんど生じない。さらには、電熱マット１１ａ，１１ｂの変形が抑制されることから、その本来の加熱機能が損なわれることがなく、床板１８への所期の伝熱効率が維持される。
【００４３】
図９は本発明の別の実施形態による床暖房装置３０を示している。この実施形態による床暖房装置３０が前述の実施形態による床暖房装置１０と異なっている点は、電熱マット１１ａ，１１ｂの周囲に枠状に設けられる周辺マット３１が小根太３２を有して構成されている点である。周辺マット以外については床暖房装置１０と略同様の構成を有しており、これらには同一の符号を付して説明を省略する。
【００４４】
周辺マット３１における小根太３２は、図９に示すように、電熱マット１１ａ，１１ｂにおける小根太１７ａ，１７ｂと同じ間隔で設けても良いが、異なる間隔で設けても良い。周辺マット３１に小根太３２が設けられることにより、周辺マット３１上に敷設される床板１８についても、床板同士の継ぎ目が小根太３２の上に位置するように割り付けることができるので、床板敷設作業が容易になるとともに、小根太３２の厚さによって周辺マット３１が平坦に維持されるので、床面全体にわたって平坦度をより一層維持することが可能となる。
【００４５】
この実施形態における周辺マット３１の構成は、前述の実施形態について図３を参照して詳述した電熱マット１１ａ，１１ｂの構成と略同様であり、不織布などの柔軟性を有する基材の上に任意の間隔で小根太３２を並置させて両面テープなどで仮止めしたものであり、小根太３２の部分にビスを打ち込むことによって基材越しに床下地板１に固定して敷設する。ただし、当然のことながら周辺マット３１には電気ヒーター線１４、感熱線１５および熱分散シート１６は設けられないので、電気ヒーター線１４および感熱線１５の通り道となる隙間をあける必要はなく、したがって端から端まで小根太３２を延長させることができ、床面全般にわたって平坦度をより一層高めることができる。
【００４６】
図１０は本発明のさらに別の実施形態による床暖房装置４０を示している。この実施形態による床暖房装置４０が前述の実施形態による床暖房装置１０と異なっている点は、電熱マット１１ａ，１１ｂの周囲に枠状に設けられる周辺マット１２が電熱マット１１ａ，１１ｂに連続して一体化され、床面全体にわたって一体化電熱マット４１が敷設されている点である。このように一体化電熱マット４１を用いることにより、電熱マットの敷設とは別に周辺マットを敷設する必要がなくなり、施工性が向上される。また、電気ヒーター線１４および感熱線１５の通り道となる隙間をあけた上で小根太１７ａ，１７ｂを壁際まで設けることができるので、図９に示す実施形態と同様に、壁際に敷設される床板についてもそれらの継ぎ目が小根太上に位置するように割り付けることが可能となり、床面全般にわたって平坦度をより一層高めることができる。その他の点については床暖房装置１０と略同様の構成を有しており、これらには同一の符号を付して説明を省略する。
【図面の簡単な説明】
【００４７】
【図１】本発明による床暖房装置の一実施形態を床板の施工途中の状態で示す斜視図である。
【図２】この床暖房装置の施工状態を床板を省略して示す平面図である。
【図３】図２におけるＢ−Ｂ拡大断面図である。
【図４】図３に示す熱分散シートの拡大断面図である。
【図５】図１におけるＡ−Ａ拡大断面図である。
【図６】この実施形態の床暖房装置の施工の一状態を示す斜視図である。
【図７】図６に続く施工状態を示す斜視図である。
【図８】図７に続く施工状態を示す斜視図である。
【図９】本発明による床暖房装置の別の実施形態を床板の施工途中の状態で示す図１と同様の斜視図である。
【図１０】本発明による床暖房装置のさらに別の実施形態を床板の施工途中の状態で示す図１と同様の斜視図である。
【符号の説明】
【００４８】
１  床下地板
１０  床暖房装置
１１（１１ａ，１１ｂ）  電熱マット
１２  周辺マット
１４  電気ヒーター線
１７（１７ａ，１７ｂ）  電熱マットの小根太
１８  床板
２０  コントローラ
３０  床暖房装置
３１  周辺マット
３２  周辺マットの小根太（第２の小根太）
４０  床暖房装置
４１  一体化電熱マット
【図１】
2005241141.tif 000003
【図２】
2005241141.tif 000004
【図３】
2005241141.tif 000005
【図４】
2005241141.tif 000006
【図５】
2005241141.tif 000007
【図６】
2005241141.tif 000008
【図７】
2005241141.tif 000009
【図８】
2005241141.tif 000010
【図９】
2005241141.tif 000011
【図１０】
2005241141.tif 000012